Podtech/llm-jp-corpus-v4-ja_patent huggingface dataset:
(57)【要約】      （修正有） 【課題】頭部等に負担がなく、疲労と汗をかいた時の問題を解消し、消毒、水洗いができる肩掛け透明板を提供する。【解決手段】肩掛け軸の両サイド３、４にクリップ５、６を取り付けて設け、両サイドの軸のクリップで、透明板７の両サイドをはさんで留めて固定して設け、取り外しができるようにして、又、透明板の取り替えで、消毒、水洗い等ができて衛生面を良くしたものである。【選択図】図１
0003230049.tif 000002
【実用新案登録請求の範囲】
【請求項１】
本考案は、肩掛け軸の両サイドにクリップを取り付けて設け、両サイドの軸のクリップで、透明板の両サイドをはさんで留めて固定して設けた肩掛け透明板である。
【考案の詳細な説明】
【技術分野】
【０００１】
本考案は、肩掛け軸の両サイドにクリップを取り付けて設け、両サイドの軸のクリップで、透明板の両サイドをはさんで留めて固定して設けた肩掛け透明板である。
【背景技術】
【０００２】
従来、頭部に透明板を取り付けて設けた器具等が使用されていた。
【考案の概要】
【考案が解決しようとする課題】
【０００３】
従来、頭部に透明板を取り付けて設けた器具等が使用されていて、これらを長時間使用した時に疲労と、又、汗をかいた時等に問題がある。
【課題を解決するための手段】
【０００４】
本案は、肩掛け軸と透明板が一体となって、両肩上に密着して設けることにより問題点を解決している。
【考案の効果】
【０００５】
上述の様に、本考案によって頭部等に負担もなく、疲労と汗をかいた時の問題も解消される。又、透明板の取り外しによって、消毒、水洗いができる。
【図面の簡単な説明】
【０００６】
【図１】本考案の全体図である。
【考案を実施するための形態】
【０００７】
肩掛けの両サイド軸にクリップを取り付けて設け、透明板の両サイドに肩掛け両サイド軸のクリップをはさんで留めて固定する。
【実施例】
【０００８】
以下、添付図面に従って一実施例を説明する。肩掛け軸の両サイド２・３に、クリップ５・６を取り付けて設け、これをゴムヒモ等を使用し、両肩上に密着して固定させて設ける。
【０００９】
透明板７の両サイドに肩掛けの両サイド３・４に設けたクリップ５・６をはさんで留めて固定し、透明板７の取り外しができる。
【符号の説明】
【００１０】
１  肩掛け透明板
２  肩掛け軸
３  肩掛け軸
４  肩掛け軸
５  クリップ
６  クリップ
７  透明板
【図１】
0003230049.tif 000003
(57)【要約】      （修正有）【課題】車椅子の肘掛けの上に取り付けて、搭乗者が腕と肘を自由な角度で載せて休めることができ、更に簡易なテーブルの機能を持ち、コーヒーカップを置いたり、読書ができたり、タブレットＰＣやスマートホーンの操作が可能で、着脱が容易に出来る、折りたたみ式の、車椅子肘掛け補助装置を提供する。【解決手段】車椅子１の片側の肘掛け２に、水平板２枚からなる補助肘掛け装置３を取り付ける。一方の水平板は固定水平板３１であり、車椅子肘掛けにはめ込み、もう一方の水平板は可動水平板３２であり、固定水平板３１に取り付けられた蝶ボルト３３を支点として、可動水平板３２にくり貫かれたスライド溝３４に沿って滑らすことにより、前方に任意の角度と長さに引き出すことが可能な、幅広肘掛け兼小型テーブルとして機能する。【選択図】図１
0003230045.tif 000002
【実用新案登録請求の範囲】
【請求項１】
車椅子の片方の肘掛け（アームレスト）に取り付けられる、水平板２枚からなる着脱可能な補助肘掛けで、一方の水平板は肘掛けにはめ込まれ（固定水平板３１）、もう一方の水平板（可動水平板３２）は、固定水平板３１に取り付けられた蝶ボルト３３を支点として、可動水平板３２にくり貫かれたスライド溝３４に沿って滑らすことにより、前方に任意の角度と長さに引き出すことが可能となっている、車椅子肘掛け補助装置。
【考案の詳細な説明】
【技術分野】
【０００１】  本考案は、車椅子肘掛けに関するものである。
【背景技術】
【０００２】  車椅子の肘掛け（アームレスト）は一般に幅が狭くかつ固定されているため、車椅子搭乗者は腕と肘の自由度が制限されているという欠点がある。そこで、肘掛けの上に、腕と肘を自由な角度で載せて休めることができ、更に簡易なテーブルの機能を持ち、コーヒーカップを置いたり、読書ができたり、タブレットＰＣやスマートホーンの操作が可能で、着脱が容易に出来る、折りたたみ式の車椅子肘掛け補助装置が求められる。
【先行技術文献】
【特許文献】
【０００３】
【特許文献１】特開２００３−２９０２９３号公報
【考案の概要】
【考案が解決しようとする課題】
【０００４】  特許文献１記載の車椅子のアームレストは、体型に応じて前後と上下に位置調整可能なアームレストを提供するものである。【０００５】  しかし、特許文献１記載の車椅子のアームレストは、搭乗者が腕を身体の前で任意の角度に曲げて肘を休める自由度と、更には手に持ったコップを置いたり、本を広げたりするスペースをもたない。
【課題を解決するための手段】
【０００６】  車椅子の片側の肘掛けに、水平板２枚からなる補助肘掛けを取り付ける。一枚の水平板は肘掛けに固定され（固定水平板）、もう一方の水平板（可動水平板）は固定水平板の上を滑りながら前方の任意の角度に引き出すことを可能にする。さらに、可動水平板を最長に引き出し、固定水平板との角を直角にして、先端を反対側の車椅子肘掛けに乗せることにより、搭乗者の前面に簡易テーブルを形成する、車椅子肘掛け補助装置を考案する。
【考案の効果】
【０００７】    本考案により、肘掛けの上に自由な角度で腕や肘を載せて休めることができ、更に簡易なテーブルの機能を持ち、コーヒーカップを置いたり、読書ができたり、タブレットＰＣやスマートホーンの操作が可能な、幅広肘掛け兼小型テーブルとして機能する、車椅子肘掛け補助装置が提供される。
【図面の簡単な説明】
【０００８】
【図１】本考案の車椅子肘掛け補助装置を車椅子に取り付けた状態の斜視図。
【図２】本考案の車椅子肘掛け補助装置の裏面斜視図。
【考案を実施するための形態】
【０００９】  以下に、本考案の実施の形態を図に基づいて説明する。
【実施例】
【００１０】  図１に、車椅子１に車椅子肘掛け補助装置３を取り付けた状態の図を示す。本考案の車椅子肘掛け補助装置３は、片方の車椅子肘掛け２に取り付けられる固定水平板３１と、この固定水平板３１の上を滑りながら車椅子搭乗者の前方の任意の角度に引き出すことができる可動水平板３２とからなる。【００１１】  可動水平板３２の長辺にそって、かつ長辺の縁に近い部分に、スライド溝３４がくり貫かれており、このスライド溝３４を通して、固定水平板３１と可動水平板３２とが、蝶ボルト３３と蝶ナット３６を介して結合している。これにより、蝶ボルト３３をゆるめると、可動水平板３２は、蝶ボルト３３を支点にスライド溝３４に沿って固定水平板３１の上を左右・前後に任意に動くことが可能になる。蝶ボルト３３を締めることにより、任意の位置で可動水平板３２を固定水平板３１に固定することができ、搭乗者が腕を身体の前で任意の角度に曲げて腕や肘を休めることができる。【００１２】  さらに、可動水平板３２を最長に引き出し、固定水平板３１との角を直角にして先端を反対側の車椅子肘掛け２に乗せることにより、搭乗者の前面に簡易テーブルを形成することができる。【００１３】  図１に示されるように、可動水平板３２の先端域には、コップ保持用切り欠き３５がくり貫かれている。【００１４】  図２に、車椅子肘掛け補助装置３の裏面の斜視図を示す。使用する車椅子肘掛け２の横幅に合わせて、２枚のＬ型取り付け金具３７を取り付けねじ３８で固定水平板３１に取り付ける。これにより、本考案の車椅子肘掛け補助装置３は随時、容易に、車椅子肘掛け２にはめ込むこと（装着）、および取り外す（離脱）ことができる。
【符号の説明】
【００１５】１      車椅子
２      車椅子肘掛け
３      車椅子肘掛け補助装置
３１  水平固定板
３２  水平可動板
３３  蝶ボルト
３４  スライド溝
３５  コップ保持用切り欠き
３６  蝶ナット
３７  Ｌ型取り付け金具
３８  取り付けねじ
【図１】
0003230045.tif 000003
【図２】
0003230045.tif 000004
【手続補正書】
【提出日】令和2年10月2日(2020.10.2)
【手続補正１】
【補正対象書類名】実用新案登録請求の範囲
【補正対象項目名】全文
【補正方法】変更
【補正の内容】
【実用新案登録請求の範囲】
【請求項１】
車椅子の片方の肘掛けに取り付けられる、
水平板２枚からなる着脱可能な補助肘掛けで、
一方の水平板は肘掛けに取り付けられる固定水平板（３１）であり、
もう一方の水平板は、固定水平板（３１）の上をスライド可能な可動水平板（３２）であり、
可動水平板（３２）は、固定水平板（３１）に取り付けられた蝶ボルト（３３）を支点として、可動水平板（３２）にくり貫かれたスライド溝（３４）に沿って滑らすことにより、前方に任意の角度と長さに引き出すことが可能となっている、車椅子肘掛け補助装置。
(57)【要約】      （修正有）【課題】若い女性のバストの発育を自身でコントロール出来易くする履き物で有り、その作用として便秘の改善も出来る履き物を提供する。【解決手段】靴、サンダル、スリッパ、インソール等にバストの一部分を刺激する３つの突起物Ａ、Ｂ、Ｃ、Ａ’、Ｂ’、Ｃ’を設ける。突起物Ａ、Ｂ、ＣＡ’、Ｂ’、Ｃ’によってツボを刺激し、その作用によってバストの異状な発育を食い止める。又同時に便秘に対するツボを刺激しない事によって肛門の肉が閉じ過ぎない様にする事により、便の健全な流れを食い止めない様にする。【選択図】図２
0003230038.tif 000002
【実用新案登録請求の範囲】
【請求項１】
一般的な履き物の靴、もしくはインソールで有り、履いた時に両足裏のそれぞれ３ヶ所に刺激を与える物で有ってそれぞれ足裏のツボ、胸部につながるツボの小指寄り、首に通ずるツボの親指寄り、踵の足裏の部分を刺激する突起物を備えた履き物又はインソール。
【請求項２】
前記突起物の形状はそれぞれ高さ０．５〜１ｃｍ、直径２〜３ｃｍ位両足裏の漢方で属に云ふ憎帽筋に通ずるツボの小指下、甲状線に通ずるツボ、右性殖腺、左性殖腺の中心から後方に位置する事を特徴とする請求項１記載の履き物。
【考案の詳細な説明】
【技術分野】
【０００１】本考案は履く事により足裏のツボに作用し、便秘の改善、バストの成育に影響を与える物で有る。
【背景技術】
【０００２】元来、バストの成長、便秘は女性に対し、性別の違いとしか捕らえられなかった。
【考案の概要】
【０００３】バストの成長と便秘は女性にとって特に解決し難い悩みで有り医学的見知に立ってこれといった解決法も見つからないまま今日に至っている。
【考案が解決しようとする課題】
【０００４】便秘の改善と成長し過ぎないバストサイズ。
【課題を解決する為の手段】
【０００５】図１、図２の様な靴底を持つ履き物を履く事。
【考案の効果】
【０００６】履き物の突起物、図１、図２のＢ・Ｃ、Ｂ’，Ｃ’により左右のバストのツボ図５を刺激すると共に図１、図２のＡ，Ａ’により左右のバストのツボ図６を刺激する事により、極端に肛門が締まり過ぎない様、作用させると同時にバストが大きくなり過ぎない様コントロールする事。
【０００７】図７のツボを刺激しない様にする事により極端に肛門が締まり過ぎない様に作用させると共にバストの極端な成育を押さえる。
【０００８】
0003230038.tif 000003
それぞれ名付ける物とする。
【０００９】図１、２、３、４の様な履き物を使用する際、ブラジャーで胸を締め付け過ぎない様にする事と併用する様。
【００１０】尚、遺伝や天性のバストには多少の影響が予想される。
【図面の簡単な説明】
【図１】履き物の靴底の何処に突起物があるか示した説明図である。
【図２】図１を上から見た説明図である．
【図３】履き物の簡単な例で靴とスリッパを示した説明図である。
【図４】同じく履き物の例でサンダル等に代表される説明図である。
【図５】
0003230038.tif 000004
【図６】
0003230038.tif 000005
【図７】
0003230038.tif 000006
【図１】
0003230038.tif 000007
【図２】
0003230038.tif 000008
【図３】
0003230038.tif 000009
【図４】
0003230038.tif 000010
【図５】
0003230038.tif 000011
【図６】
0003230038.tif 000012
【図７】
0003230038.tif 000013
【手続補正書】
【提出日】令和2年10月1日(2020.10.1)
【手続補正１】
【補正対象書類名】実用新案登録請求の範囲
【補正対象項目名】全文
【補正方法】変更
【補正の内容】
【実用新案登録請求の範囲】
【請求項１】
一般的な履き物で靴、もしくはインソールで有り、履いた時に両足裏のツボ１ヶ所に刺激を与える物で有ってそれぞれ足裏のツボ、胸部の乳首近辺につながるツボで有る、土踏まずの部分を刺激する突起物を備えた履き物、又はインソール。
【請求項２】
前記突起物の形状は直径が２〜３ｃｍ  高さ２〜２．５ｃｍで有り、両足裏の漢方で俗に云ふ副腎、腎臓、大腸のツボに通ずる足裏の土踏まずに刺激を与える突起物で有る請求項１記載の履き物。
(57)【要約】      （修正有）【課題】暑い時期にマスクをした時、出来るだけ涼しく感じるようにしたマスクを提供する。【解決手段】立体布マスク１の下面内側に別の布２を重ね合わせて隙間３を作る事で風が入るようにして蒸れを解消しながらも前方向の飛沫を防ぐ。【選択図】図１
0003230039.tif 000002
【実用新案登録請求の範囲】
【請求項１】
（１）通常マスクの下面に隙間をあけたマスク
（２）マスクの隙間から飛沫を少なくする為に反り返した
【考案の詳細な説明】
【考案の概要】
【考案が解決しようとする課題】
【０００１】マスクは通常顔を全部覆って、夏場など暑い時は蒸れてしまい息苦しくなりがちですが、その息苦しさを解決した。
【課題を解決するための手段】
【０００２】通常のマスクの下面を浮かして隙間を作り、飛沫を出来るだけ少なくする為に内側に反り返した。
隙間を作る為に内側に布をあてた。
【考案の効果】
【０００３】通常のマスクより息ができて、マスクをしないよりは飛沫防止になる。
【図面の簡単な説明】
【０００４】
【図１】  商品本体の平面図である。
【図２】  考案した商品の使用状況を示す図である。
【符号の説明】
【０００５】１．商品本体
２．内側の布部分
３．隙間部分
【図１】
0003230039.tif 000003
【図２】
0003230039.tif 000004
【手続補正書】
【提出日】令和2年9月8日(2020.9.8)
【手続補正１】
【補正対象書類名】実用新案登録請求の範囲
【補正対象項目名】全文
【補正方法】変更
【補正の内容】
【実用新案登録請求の範囲】
【請求項１】
立体布マスクの下面内側に別の布を重ね合わせて隙間を作る事で蒸れを解消しながらも前方向の飛沫を防ぐ事を特徴とするマスク。
(57)【要約】      （修正有）【課題】電動ドライバー装着時の回転時に芯振れをなくすコイルスレッドインサート用工具を提供する。【解決手段】コイルスレッドインサート用工具３は、精密に円筒研磨加工した円柱状シャンク部５の後方に、コイルスレッドインサート用工具３を電動ドライバーにより回転させるために、回転駆動力を付与する四角形状７、または押し潰した形状８、または半割形状９を設ける。電動ドライバーで円筒研磨加工したシャンク部５と四角形状７、または押し潰した形状８、または半割形状９の箇所を保持することにより、芯振れの問題点を解決する。【選択図】図１
0003230073.tif 000002
【実用新案登録請求の範囲】
【請求項１】
コイルスレッドを母材に挿入し、雌ねじを形成するために用いるコイルスレッドインサート用工具であって、該コイルスレッドインサート用工具は、先端側にコイルスレッドと螺合するためのねじ山を設けたコイルスレッド取り付け軸部と、前記コイルスレッドを回転移動させる駆動機構から構成され、後端側に電動ドライバーのチャック部に係合する円柱状シャンク部に、電動ドライバーの回転駆動力を付与する四角形状部分が設けられていることを特徴とするコイルスレッドインサート用工具。
【請求項２】
前記シャンク部の四角形状部分は、円柱状部分の両側を押し潰した形状を特徴とする請求項1記載のコイルスレッドインサート用工具。
【請求項３】
前記シャンク部の四角形状部分は、円柱状部分が半割形状を特徴とする請求項1記載のコイルスレッドインサート用工具。
【考案の詳細な説明】
【技術分野】
【０００１】
本考案は、コイルスレッドを母材のタップ穴に取り付けるための、コイルスレッドインサート用工具に関し、従来のコイルスレッドインサート用工具の電動ドライバー装着時の回転時芯振れをなくす構造を提供する。
【背景技術】
【０００２】
母材に形成された雌ねじの補強あるいは補修にはコイルスレッドインサート技術が知られている。この技術はタング付きコイルを用いる手段とタングレスコイルを用いる2つの手段に大別される。どちらも挿入、抜取の専用工具があり（特許文献1、特許文献2、特許文献3参照）、それはシャンク部が六角ビット（図3、図4参照）になっているので、コイルスレッドインサート専用の電動ドライバーなどに装着して用いることができる。シャンクとは、チャックによって固定されて動力を伝える部分のことを示す。チャックとは、電動ドライバーにビットを取り付け固定する部分のことを示す。
【先行技術文献】
【特許文献】
【０００３】
【特許文献１】特開2016-87701
【特許文献２】特開2009-291860
【特許文献３】特開平7-1359
【考案の概要】
【考案が解決しようとする課題】
【０００４】
前述の通り、図3、図4のシャンク部が六角ビット10になっている従来のコイルスレッドインサート用工具では、電動ドライバーの六角穴に形成されたチャック部へ係合して回転させると芯振れが起こり、樹脂等の母材を割ってしまい加工不良の原因になることがあった。
【０００５】
芯振れの原因として、電動ドライバーのチャック部でコイルスレッドインサート用工具の六角ビット10を保持するが、六角ビット10と電動ドライバーの六角穴とを、係合した際のクリアランスが大きいために芯振れの症状が出るのである。1/4インチ六角ビットは切削加工または鋳造加工のために精度が荒く電動ドライバーの六角穴とのクリアランスは約0.15mmと大きい。
【課題を解決するための手段】
【０００６】
前述に示した精度の荒い切削加工または鋳造加工ではなく、精密に円筒研磨加工した円柱状シャンク部5の後方に、コイルスレッドインサート用工具3を電動ドライバーにより回転させるために、回転駆動力を付与する四角形状7、または押し潰した形状8、または半割形状9を設ける。
【０００７】
例えば、前述に示した円筒研磨加工したシャンク部の径の精度をφ10であれば＋0〜−0.01mmで仕上げる。また、電動ドライバーのチャック部の穴径は、これに対応する加工精度φ10＋0.01mm〜＋0.02mmとすることで、コイルスレッドインサート用工具と電動ドライバーのチャック部のクリアランスは最大でも0.03mmとなるので芯振れの問題点を解決することができる。
【考案の効果】
【０００８】
本発明の目的は前述の課題を解決するために考案したものである。同時に、精密に円筒研磨加工した円柱状シャンク部5の外形寸法と後方の四角形状7の寸法をタップ規格と同一寸法にすることでタッピングボール盤での使用も可能となる。例えばシャンク部5の外形寸法をφ7とし、後方の四角部対辺寸法を5.5mmとすれば、JIS規格M10タップのシャンク径と四角部が同寸法になり、タッピングボール盤のみならず、一般的に使用されている加工範囲の広いアーム式タッパーの、タップコレットでも使用可能となり、コイルスレッドインサート専用の電動ドライバーのみならず、様々な機械で応用できる工具を提供することになる。
【０００９】
さらに本発明の図1、図2、の符号8の押し潰した形状（電動ドライバーの回転駆動力を付与する個所）と、符号9の半割形状（電動ドライバーの回転駆動力を付与する個所）は、従来から使用されている小型電動ドライバーのチャック部に係合可能な形状であるために、新たにコイルスレッドインサート専用の電動ドライバーを購入することなく、従来から使用されている小型電動ドライバーで使用できる工具を提供することになる。
【図面の簡単な説明】
【００１０】
【図１】本考案のコイルスレッドインサート用工具（タングレスコイルスレッド用）の正面図であり、（a）は四角形状、（b）は押し潰した箇所を含む円柱状、（c）は半割形状を含む円柱状である。
【図２】本考案のコイルスレッドインサート用工具（タング付きコイルスレッド用）の正面図であり、（a）は四角形状、（b）は押し潰した箇所を含む円柱状、（c）は半割形状を含む円柱状である。
【図３】従来のコイルスレッドインサート用工具（タングレスコイルスレッド用）
【図４】従来のコイルスレッドインサート用工具（タング付きコイルスレッド用）
【符号の説明】
【００１１】
1 コイルスレッド（タングレスコイル）
2 コイルスレッド（タング付きコイル）
3 コイルスレッドインサート用工具
4 コイルスレッド取り付け軸部
5 シャンク部
6 コイルスレッドを回転移動させる駆動機構
7 四角形状（電動ドライバーの回転駆動力を付与する個所）
8 押し潰した形状（電動ドライバーの回転駆動力を付与する個所）
9 半割形状（電動ドライバーの回転駆動力を付与する個所）
10 六角ビット形状
【図１】
0003230073.tif 000003
【図２】
0003230073.tif 000004
【図３】
0003230073.tif 000005
【図４】
0003230073.tif 000006
(57)【要約】      （修正有）【課題】キャンプ用クッカーに多い、鍋蓋つまみの無いスチール・ステンレス製鍋蓋を対象に、鍋蓋の安全な開閉及び着脱と使用後の携帯性・収納性を損なわない磁石付き鍋蓋つまみを提供する。【解決手段】鍋蓋つまみの蓋の接着面に磁石１を設け、磁石を埋め込んだ鍋蓋接着部２を四角とし、対面する１組の２辺のみを接着面から立ち上がる側面までを曲面にした磁石付き鍋蓋つまみであって、つまみの無いスチール・ステンレス製の鍋蓋を、磁石１を埋め込んだ鍋蓋接着部２を鍋蓋に接着させ、棒状つまみ３を持ち、安全に鍋の開閉を行う。離脱時は、棒状つまみ３を曲面部分４の方向に傾け、曲面の影響で鍋蓋と磁石１の距離がゆっくりと開き、衝撃無く、且つ安全に鍋蓋と磁石１を埋め込んだ鍋蓋接着部２の離脱ができる。使用後は、スチール・ステンレス製の鍋蓋内側に、磁石を埋め込んだ鍋蓋接着部２を接着させ携帯性・収納性を損なわず収納できる。【選択図】図１
0003230089.tif 000002
【実用新案登録請求の範囲】
【請求項１】
鍋蓋つまみの蓋の接着面に磁石を設け、磁石を埋め込んだ鍋蓋接着部を四角とし、対面する１組の２辺のみを接着面から立ち上がる側面までを曲面にしたことを特徴とする、磁石付き鍋蓋つまみ
【考案の詳細な説明】
【技術分野】
【０００１】  本考案は、キャンプ道具に多く見られる、鍋蓋につまみが無い、スチール・ステンレス製クッカーの鍋蓋の開閉に使用する、磁石を設けた鍋蓋つまみに関するものである。
【背景技術】
【０００２】  キャンプ道具のスチール・ステンレス製クッカーの鍋蓋には、つまみがないものが多く、熱せられた蓋を開ける際は、軍手や鍋蓋つかみを使用する必要があった。
【考案の概要】
【考案が解決しようとする課題】
【０００３】  キャンプ道具のスチール・ステンレス製クッカーは、携帯性・収納性を重視し、その殆どが鍋蓋につまみが無い。使用時には、鍋蓋は熱く熱せられているので、わざわざ軍手や布制の鍋つかみを使っていた。また、蓋を開ける際は、鍋から出てくる蒸気や、噴き出す熱を手に感じ、鍋蓋を落とすなど、火傷の危険もあった。従って、磁石を設けた鍋蓋つまみにより、スチール・ステンレス製クッカーの鍋蓋を接着させ、鍋蓋の開閉を安全にし、前述の問題点を解決しようとするものである。
【課題を解決するための手段】
【０００４】  本考案は、鍋蓋つまみの蓋の接地面に磁石を設けることにより、スチール・ステンレス製鍋蓋が磁石に接着、鍋蓋の熱を感じることなく、安全に鍋の開閉ができる。また、磁石の囲いを四角形にし、四角形の４辺のうち対面する２辺のみを鍋蓋が接着する部分から、立ち上がる側面までを曲面にすることで、鍋蓋を離脱させる際、つまみ部を曲面側に傾けることで、スチール・ステンレス製鍋蓋は曲面の影響で衝撃なく、鍋蓋つまみの磁石から安全に離脱させることができる。
【考案の効果】
【０００５】  上述の様に、本考案の磁石付き鍋蓋つまみであれば、スチール・ステンレス製の鍋蓋には何の細工も不要で、磁石により接着し、熱せられた鍋蓋を安全に開閉でき、つまみ部を曲面側に傾けて安全に鍋蓋つまみと蓋を離脱できる。また、接着手段が磁石であることから、脱着が容易であり、携帯性・収納性を重視する、キャンプ道具としては、収納時に鍋蓋の内側に吸着して収納できる利点もある。
【図面の簡単な説明】
【０００６】
【図１】つまみと磁石設置状況と２辺の曲面を示した側面図である。
【図２】磁石の設置状況と２辺の曲面を示した底面図である。
【考案を実施するための形態】
【０００７】  棒状のつまみの下部に、磁石を埋め込んだ四角形の鍋蓋接着部分を設け、接着部をスチール・ステンレス製の鍋蓋に接着させ、鍋蓋の開閉を行う。鍋蓋つまみと鍋蓋を離脱する場合は、磁石を埋め込んだ鍋蓋接着部の曲面２辺の何れかの方向に棒状つまみを傾け、磁石とスチール・ステンレス製の鍋蓋の接着面の距離が、曲面であることにより緩やかに開き、角張った他２辺の形状と違い、衝撃が無く安全に離脱できる。残り２辺を直角のままとしたのは、離脱動作を左右とした場合の上下に対する安定を確保するためである。
【実施例】
【０００８】  以下、図面に従って実施例を説明する。１磁石と２磁石を埋め込んだ鍋蓋接着部の持ち手部分である、３棒状のつまみ部を持ち、スチール・ステンレス製の鍋蓋に、２磁石を埋め込んだ鍋蓋接着部の底面及び１磁石を接着させ、スチール・ステンレス製の鍋蓋の開閉を安全に行う。３棒状つまみを持ち、４曲面側に傾けて、曲面を利用して衝撃無く、スチール・ステンレス鍋蓋と１磁石、２磁石を埋め込んだ鍋蓋接着部とを離脱させる。
【符号の説明】
【０００９】  １  磁石
２  磁石を埋め込んだ鍋蓋接着部
３  棒状つまみ部
４  曲面部分
５  直角部分
【図１】
0003230089.tif 000003
【図２】
0003230089.tif 000004
(57)【要約】      （修正有）【課題】マスクをコンパクトに且つ衛生的に収納するマスクケースを提供する。【解決手段】マスクケースは、外シート２と外シート２より小さな内シート３から構成されている。外シート２には、上部と下部を留めるホック４が設けらている。外シート２と内シート３を折り畳むことでマスクを収納することができる。【選択図】図１
0003230088.tif 000002
【実用新案登録請求の範囲】
【請求項１】
マスクを収納するマスクケースにおいて、前記マスクケースは外シートと前記外シートより小さな内シートから成り、前記外シートには上部と下部を留めるホックが設けられ、前記外シートと内シートを折り畳むことでマスクを収納することを特徴とするマスクケース。
【請求項２】
前記外シートは、上部と下部に穴を設けたことを特徴とする請求項１記載のマスクケース。
【考案の詳細な説明】
【技術分野】
【０００１】  本考案は、外シートと内シートの間にマスクを挟み、ケースを折りホックを留めて、コンパクトな収納、除菌も簡単にでき衛生面でも安心なマスクケースである。
【背景技術】
【０００２】  ＣＯＶＩＤー１９の感染により世界的にマスクの需要が拡大しているが、必ずしも使用したマスクや保管中のマスクが衛生的に維持されているとは限らず、衛生的なマスクケースが要望されている。
【先行技術文献】
【特許文献】
【０００３】
【特許文献１】実登３２２７８６６
【考案の概要】
【考案が解決しようとする課題】
【０００４】  上記先行技術は、抗菌加工を施された紙製シートで形成されているが、紙なので破損したりすることで衛生面に不安があった。本考案は上記問題を解決する為に衛生的に収納することを目的とする。
【課題を解決するための手段】
【０００５】  本考案に係るマスクケースは、外シートと前記外シートより小さな内シートから成り、前記外シートには上部と下部を留めるホックが設けられ、前記外シートと内シートを折り畳むことでマスクを収納することができる。
【考案の効果】
【０００６】  本考案は、マスクケース１の外シート２と内シート３の間にマスクを収納し、外シート２と内シート３の長短部を折り畳み、ホック４で留めることで簡単且つ衛生的に収納することができる。又、外シート２には広告などの印刷加工も可能であり営業的に活用することができる。更に使用者にとっても、コンパクトなのでバッグやポケットなどの収納も簡易である。
【図面の簡単な説明】
【０００７】
【図１】本考案のマスクケースの正面図である。
【図２】マスクを外シートに戴置した図である。
【図３】内シートを折り畳んだ図である。
【図４】マスクケースを折り畳む途中の状態の図である。
【図５】マスクケースを折り畳んだ状態の図である。
【図６】マスクケースをフックに掛けた図である。
【図７】内側に１枚予備のマスク、外側に使用中のマスクと２枚マスクを収納した図である。
【考案を実施するための形態】
【０００８】  マスクケースは、外シートと前記外シートより小さな内シートから成り、前記シートには上部と下部を留めるホックが設けられ、前記外シートと内シートを折り畳むことでマスクを収納する。
【実施例】
【０００９】  本考案に係るマスクケースを図面に従って説明する。
図１は、マスクケースの正面図を示した図である。マスクケース本体１は、外シート２と内シート３から構成されている。外シート２には両端部にホック４と穴５が設けられている。尚、ホック４は、外シートを折り畳んで留める為のものである。
穴５は、外シート２の両端部にマスクケース本体１を引っ掛ける為のフック６が差し込まれるものである。【００１０】  図２は、外シート２にマスク７を戴置した図である。この時マスク７のヒモはフック４を囲むように戴置している。【００１１】  図３は、内シート３を折り畳んだ図である。外シート２と内シート３は、大きさが異なっているので、マスク７を取り出しやすくなる。尚、内シート３は外シート２より小さな形状になっている。【００１２】  図４は、マスクケース本体１を長短部の中央から折り畳む途中の状態を示す図である。【００１３】  図５は、マスクケース本体１を折り畳んでマスク７を収納した図である。マスク７は内シート３で押さえられていることから、収納した時にはみ出すことなく固定できる。又、穴５とマスク７のひもをフック６に掛けられるので便利である。【００１４】  図６は、マスクケース本体１をフック６に掛けた図である。フック６を穴５に挿入することで、マスクケース本体１が除菌や洗浄の際に干すのに便利になる。【００１５】  図７は、内部に予備マスク７２と使用中マスク７１を収容したマスクケース１を示した図である。破線で示した予備マスク７２は、外シート２と内シート３の間に挿入されて収納される。又、使用中のマスク７１は内シート３の上に戴置して、外シート２及び内シート３を折り畳むことで収納される。使用中マスク７１と予備マスク７２は内シート３で遮断されることで混載されず衛生的に保たれている。【００１６】  本考案に係るマスクケースは、折り畳み式なので衛生的に収納でき、又、バッグやポケットなどの収納も簡易である。【００１７】  本考案に係るマスクケースは、塩ビ製なので広告などの印刷加工も可能で、企業広告に利用できる。又、マスクケースにはシールなどで独自のマスクケースを制作することもできる。尚、マスクケースの材料は、塩ビ製に限定されることなく可撓性の材料でも良い。【００１８】  本考案に係るマスクケースは、外シートと内シートを１枚のシートで説明したが、それに限定されることなく、外シートと内シートを個別のシートとして接続・結合することでも良い。
【符号の説明】
【００１９】１．マスクケース本体
２．外シート
３．内シート
４．ホック
５．穴
６．フック
７．マスク
【図１】
0003230088.tif 000003
【図２】
0003230088.tif 000004
【図３】
0003230088.tif 000005
【図４】
0003230088.tif 000006
【図５】
0003230088.tif 000007
【図６】
0003230088.tif 000008
【図７】
0003230088.tif 000009
(57)【要約】      （修正有）【課題】木（青森ヒバ）の天然成分でマスクを衛生的に保管し、湿気がこもりにくくマスクの取り出しも便利なマスクケースを提供する。【解決手段】癒し効果があり、抗菌、防カビ、調湿ができる天然木（青森ヒバ）をケースの材に使う。また、落し蓋にすることでマスクとの密着性を高め、天然木の成分を逃さずにマスクへと移行させる。さらに、内面を荒目のカンナ仕上げとし、面の面積を広げ、天然成分がより揮発しやすい環境にする。落し蓋にはツマミをつけ、開け閉めのし易さとデザイン性を両立する。【選択図】図３
0003230084.tif 000002
【実用新案登録請求の範囲】
【請求項１】
天然木の恵みを最大限に活用したマスクケース。
天然木（青森ヒバ）の恵み（抗菌／防虫／防カビ／癒しなど）を活用し、マスクの衛生的保管が可能で、マスクに青森ヒバの香りを添加できるほか、置いておくだけで空間芳香もできるマスクケース。しまい込む収納からインテリアとしてマスクを収納する木箱。
【考案の詳細な説明】
【技術分野】
【０００１】  日用品の保管をインテリアとして楽しむ雑貨業界や、人工的な物質を使わず
に防虫、防カビ、湿気対策を目指す天然生活を促進する分野で活用する
本考案は、不織布製や布製などのマスクを天然木の特性を利用して生成的に保管し、同時にマスクに香りをつけるケースに関わるものである。直接口元に装着するマスクを天然成分で衛生的に保管し、マスクを装着した時に天然の木の香りが楽しめるマスク専用木製ケースの提供。しまい込んで収納していたマスクを、見せて収納するスタイルに変化をもたらすマスクケースを提供する。
【背景技術】
【０００２】  市販のマスクは購入時の梱包材（ビニール袋または紙箱）に収納したまま目の付きにくい棚などに保管していた。マスクの収納場所といえば棚など目の付きにくいところが主流だった。
【考案が解決しようとする課題】
【０００３】  マスク購入時のパッケージデザインは、見せる収納を楽しむ人は少なく、棚などで保管収納されている。
棚などでの保管は湿気がこもるなど不衛生であった。
梱包材（紙箱、ビニール袋）やマスク本来の臭（不織布）の臭が気になる人がいた。
収納保管中に湿気臭や家臭、一緒に保管していたモノの臭いがマスクに付着することがあった。
【課題を解決する為の手段】
【０００４】  マスクを棚などへのしまい込みを低減する、暮らしに馴染むデザイン（ワンポイントの蓋のツマミと楔にウォールナット）を採用し、リビングや玄関などに見せて収納できるフォルムを実現。
マスクのしまい込みの解消により、通気性のよい場所でのケース保管が可能になる。
生活空間へマスクケースを設置することで必要な時（例えば出かけ際）にサッと取り出せる使い勝手も向上させた。
置く場所を選ばず生活空間へマスクケースが設置できることで、湿気のこもりによる不衛生な環境を改善し、衛生的に保管できる
抗菌・防カビ・癒し効果のある天然木、青森ヒバでケースを作ることで、衛生的にマスクの保管ができ、前述の不快臭の付着を解消。
同時にマスクへ青森ヒバの癒しの香りが添加され、花粉症の方の癒されたいという声や、不快臭に悩む人たちのニーズに応えている。
木材を未塗装とすることで人工的な香りや成分にアレルギーのある人でも、天然の香りを楽しめる。
インテリアとして魅せる収納は、青森ヒバの香りを発散し空間芳香材としても使える、
【考案を実施するための形態】
【０００５】  天然無垢材の中でも抗菌・防カビ・癒しなどの効果が高いヒノキチオールを多分に含む青森ヒバを材に箱本体と蓋に採用している（図１−ａ）。
天然の無垢材を未塗装で使用し、青森ヒバ本来の香りや効能を最大限に活かす仕様とした（図１−ｂ）。
木箱と蓋の内側の面は、粗カンナ仕上げとし、表目に凹凸を残すことで木材が呼吸しやすく揮発性の天然成分（抗菌・防カビ・癒しなどの効果のあるヒノキチオール）を放出しやすい仕様とした（図１−ｃ）。
取り出しやすいツマミ付きの落し蓋を採用し、蓋の開け閉めがしやすい便利性とワンポインとなるデザイン性を両立。同時に、マスクと木面の密着性を高め、天然成分を直にマスクへ添加できる構造とした。まさにマスクを青森ヒバの箱で漬け込むイメージ（図２）。
リビングや玄関など、生活空間に馴染むシンプルでナチュラルなデザイン。楔や蓋のツマミにウォルナット材を使い、ワンポイントアクセントをつけた（図３）。
【考案の効果】
【０００６】  マスクケースに入れたマスクは、蒸れることもなく不快臭が発生しない。蓋つきで埃の付着もなく衛生を保っている。
リビングや玄関に馴染むデザインのマスクケースは、生活空間でのマスク保管が可能になり、使いたいときにさっと取り出せる。
落し蓋のツマミをつまんで取り出しやすく、マスクがケースの木肌と密着するので衛生的かつ、木の香りがマスクへ添加され、マスクを取り出すたびに、また装着するたびに天然の木（青森ヒバ）の香りに癒される。
【図面の簡単な説明】
【０００７】
【図１】図１−ａ：箱本体および蓋の材料に銘木青森ヒバを採用。天然成分で防虫、防カビ、癒し効果をもたらすマスクケース  図１−ｂ：青森ヒバの特性を存分に活かす無垢材の全面未塗装仕上げ  図１−ｃ：箱および蓋の内側の面（全部６面）は、天然成分が揮発しやすいザラメ（粗い）仕上げ
【図２】図２：中身（マスク）に密着する落し蓋の採用と、開け閉めしやすいツマミを蓋に採用。まさにマスクを青森ヒバの箱に漬け込むイメージ。
【図３】図３：しまい込む収納でなく、暮らしに馴染むシンプルなデザインで魅せる収納を可能にした  高級木材のウォルナットを楔、ツマミに採用しワンポイントとし、スタイリッシュなフォルムで魅せる収納箱
【図１】
0003230084.tif 000003
【図２】
0003230084.tif 000004
【図３】
0003230084.tif 000005
【手続補正書】
【提出日】令和2年8月25日(2020.8.25)
【手続補正１】
【補正対象書類名】実用新案登録請求の範囲
【補正対象項目名】請求項１
【補正方法】変更
【補正の内容】
【請求項１】
（Ａ）開口部を有する箱体と、
（Ｂ）前記開口部の開閉に用いるための蓋と、
から構成され、
上記箱体の少なくとも一部と上記蓋の少なくとも一部とがそれぞれ、天然木材からなり、
上記天然木材は、天然木の芳香を与え且つ抗菌効果を有する揮発性天然成分を放出するものである、
マスクケース。
(57)【要約】      （修正有）【課題】蛍光灯器具のＥ−１７口金用ソケット受金の接触片に通電可能なねじ込み式ソケットアダプターを提供する。【解決手段】既存の蛍光灯器具をそのまま使用して蛍光灯器具のＥ−１７口金用ソケット受金にネジ長ばね付ねじ込み式ソケットアダプターの絶縁体内蔵のＥ−１７口金をねじ込んで簡単に装着できる、ネジ長ばね付ねじ込み式ソケットアダプターであって、ワッシャ１０・ばね１１・絶縁体１２・絶縁体内蔵のＥ−１７口金８を超極低頭ネジ９で通してナットでねじ留めし、円筒型絶縁体７からの突起物である金属部品と、円筒型絶縁体に内蔵させたＥ−１７口金用あるいはＥ−２６口金用を要するソケット受金１４と接触片１３と、円筒型絶縁体に内蔵させたソケット受金と絶縁体内蔵のＥ−１７口金とを電気的に接続する導電性連結板と、を有する。【選択図】図３
0003230932.tif 000002
【実用新案登録請求の範囲】
【請求項１】
蛍光灯器具のＥ−１７口金用ソケット受金にネジ長ばね付ねじ込み式ソケットアダプターを装着する。ワッシャを挟んだ超極低頭ネジをばねによって上下駆動。Ｅ−１７口金をねじ込み、超極低頭ネジが蛍光灯器具のＥ−１７口金用ソケット受金の接触片に通電。同時に、超極低頭ネジが降下。超極低頭ネジがＥ−１７口金に不接触で、絶縁体とＥ−１７口金内蔵の絶縁体の中心を通過する。円筒型絶縁体からの突起物である金属部品に超極低頭ネジが接触通電。超極低頭ネジはナットのねじ留めで外れ防止。金属部品は円筒型絶縁体に内蔵させたソケット受金の接触片と電気的に接続している。また、円筒形絶縁体に内蔵させたソケット受金とＥ−１７口金とは導電性連結板により電気的に接続。円筒型絶縁体にＥ−１７口金用、又は、Ｅ−２６口金用を要するソケット受金の内蔵を特徴としたソケットアダプター。
【請求項２】
ネジ長ばね付ねじ込み式ソケットアダプターの円筒型絶縁体に内蔵させたＥ−１７口金用、又は、Ｅ−２６口金用のソケット受金にＬＥＤ電球を装着する。
【考案の詳細な説明】
【技術分野】
【０００１】  本考案は従来の蛍光灯器具にネジ長ばね付ねじ込み式ソケットアダプター装着に関するものである。
【先行技術文献】
【非特許文献】
【０００２】
【非特許文献１】「最新・蛍光灯と照明」，昭和３６年，著者：内田  幸夫，Ｐ．１９４
【考案の概要】
【考案が解決しようとする課題】
【０００３】  既存のねじ込み式ソケットアダプターでは、蛍光灯器具のＥ−１７口金用ソケット受金の接触片に不接触。前途の欠点を解決しょうとするものである。
【課題を解決するための手段】
【０００４】  本考案は、従来の蛍光灯器具をそのまま使用可能である。そして、着脱可能で簡単に装着。ネジ長ばね付ねじ込み式ソケットアダプターを利用することで蛍光灯器具のＥ−１７口金用ソケット受金の接触片に通電し、問題点を解決している。
【考案の効果】
【０００５】  ネジ長ばね付ねじ込み式ソケットアダプターに白熱電球は装着できないが、ＬＥＤ電球なら装着できる。また、ねじ込み式なので落下防止に役立つ。
【図面の簡単な説明】
【０００６】
【図１】本考案は、実施形態にかかる従来の直管形蛍光灯器具のＥ−１７口金用ソケット受金にネジ長ばね付ねじ込み式ソケットアダプターを装着した真下からの見た図である。
【図２】本考案は、実施形態にかかる従来のサークライン蛍光灯器具のＥ−１７口金用ソケット受金にネジ長ばね付ねじ込み式ソケットアダプターを装着した真下からの見た図である。
【図３】、ネジ長ばね付ねじ込み式ソケットアダプターを（ａ）は、真上から見た図、（ｂ）は、横から見た図、（Ｃ）は、真下から見た図である。
【考案を実施するための形態】
【実施例１】
【０００７】  図１と図２に本考案の実施例を示す。蛍光灯器具１のＥ−１７口金用ソケット受金にねじ込み式点灯管（ＦＧ−１Ｅ，Ｅ−１７口金，使用電圧１００Ｖ…「最新・蛍光灯と照明」，昭和３６年，著者：内田  幸夫，Ｐ．１９４）を装着する代わりに必要な剛性・強度を持つ軽量のネジ長ばね付ねじ込み式ソケットアダプター図３を装着する。着脱可能で簡単に装着。ネジ長ばね付ねじ込み式ソケットアダプター｛定格電流、定格電圧にたえ得る工夫がなされている。白熱電球使用禁止（火災の原因）｝の円筒型絶縁体７には銅製のソケット受金１４（Ｅ−１７口金用、又は、Ｅ−２６口金用）を内蔵させる。【０００８】  図３はワッシャ１０を挟んだステンレス製などの導電性の高い超極低頭ネジ９を強度性・伸縮性に優れたばね１１によって上下駆動。合成樹脂製のＥ−１７口金８をねじ込み、超極低頭ネジ９が蛍光灯器具１のＥ−１７口金用ソケット受金の接触片に通電。同時に、超極低頭ネジ９が降下。超極低頭ネジ９がＥ−１７口金８に不接触で、導電性の低い磁器などの材質である絶縁体１２とＥ−１７口金８内蔵の絶縁体の中心を通過する。円筒型絶縁体７からの突起物である金属部品に超極低頭ネジ９が接触通電。超極低頭ネジ９はナットのねじ留めで外れ防止。金属部品は円筒型絶縁体７に内蔵させたソケット受金１４の接触片１３と電気的に接続している。また、円筒形絶縁体７に内蔵させたソケット受金１４が強度性・耐震性に優れているので電球の緩みを防止、錆に強い。円筒形絶縁体７に内蔵させたソケット受金１４とＥ−１７口金８とは導電性連結板により電気的に接続。なお、ネジ長ばね付ねじ込み式ソケットアダプターを曲げることで蛍光灯器具カバーに収まるデザイン性の観点からも配慮することが可能。
【符号の説明】
【０００９】１    蛍光灯器具
２    スイッチ
３    差し込み式点灯管
４    ネジ長ばね付ねじ込み式ソケットアダプター
５    蛍光ランプ
６    常夜灯
７    円筒型絶縁体
８    Ｅ−１７口金
９    超極低頭ネジ
１０  ワッシャ
１１  ばね
１２  絶縁体
１３  接触片
１４  ソケット受金
【図１】
0003230932.tif 000003
【図２】
0003230932.tif 000004
【図３】
0003230932.tif 000005
【手続補正書】
【提出日】令和2年12月7日(2020.12.7)
【手続補正１】
【補正対象書類名】実用新案登録請求の範囲
【補正対象項目名】全文
【補正方法】変更
【補正の内容】
【実用新案登録請求の範囲】
【請求項１】
既存の蛍光灯器具をそのまま使用して蛍光灯器具のＥ−１７口金用ソケット受金にネジ長ばね付ねじ込み式ソケットアダプターの絶縁体内蔵のＥ−１７口金をねじ込んで簡単に装着できる、ネジ長ばね付ねじ込み式ソケットアダプターにおいて、
（１）ワッシャ・ばね・絶縁体・絶縁体内蔵のＥ−１７口金を超極低頭ネジで通してナットでねじ留め、
（２）円筒型絶縁体からの突起物である金属部品、
（３）円筒型絶縁体に内蔵させたＥ−１７口金用あるいはＥ−２６口金用を要するソケット受金と接触片、
（４）円筒型絶縁体に内蔵させたソケット受金と絶縁体内蔵のＥ−１７口金とを電気的に接続する導電性連結板、
以上の（１）〜（４）の構成からなるネジ長ばね付ねじ込み式ソケットアダプター。
【請求項２】
円筒型絶縁体に内蔵させたＥ−１７口金用あるいはＥ−２６口金用を要するソケット受金にねじ込み式のＬＥＤ電球を装着することができる請求項１記載のネジ長ばね付ねじ込み式ソケットアダプター。
(57)【要約】      （修正有）【課題】機能性と装飾性との双方を兼ね備えた装身具用留具構造を提供する。【解決手段】ネックレス２０は、ひも部材９と装身具用留具構造１０とを備える。装身具用留具構造１０は、一対の装身具用留具２、２の間に装飾部材１としてのパールを取り付けて左右対称になるように組み合わせてなる。【選択図】図１
0003230934.tif 000002
【実用新案登録請求の範囲】
【請求項１】
装飾部材を取り付けて左右対称となるように組み合わせることのできる装身具用留具を備えたことを特徴とする装身具用留具構造。
【請求項２】
一対の装身具用留具を着脱自在な連結部材で連結し、その連結部材に装飾部材を取り付けたことを特徴とする請求項１記載の装身具用留具構造。
【請求項３】
一対の装身具用留具の一方に連結部材との着脱自在を可能とする着脱機構を備えたことを特徴とする請求項２記載の装身具用留具構造。
【請求項４】
装身具用留具に指を掛けられる突起部を形成したことを特徴とする請求項１から３のいずれかに記載の装身具用留具構造。
【請求項５】
請求項１から４のいずれかに記載の装身具用留具構造を備えたことを特徴とする装身具。
【考案の詳細な説明】
【技術分野】
【０００１】
本願考案は、ネックレスやブレスレットなどの留具を用いた装身具に関するものである。
【背景技術】
【０００２】
ネックレスやブレスレットなどの留具を用いた装身具については、その留具を「簡易」且つ「確実」なものとするために、これまでにも種々の発明・考案がなされている（特許文献１及び２など）。
【先行技術文献】
【特許文献】
【０００３】
【特許文献１】特開２０１０−１７８８６４号公報
【特許文献２】実用新案登録第３２１２６５６号公報
【考案の概要】
【考案が解決しようとする課題】
【０００４】
しかしながら、従来の留具は簡易且つ確実といった機能面に重点が置かれ、どちらかと言うと装飾面はあまり重要視されておらず、機能性と装飾性の両方を兼ね備えた留具は見受けられなかった。
【０００５】
そこで、本願考案者は、これまでに無い機能性と装飾性との双方を兼ね備えた装身具用留具を提供すべく、本願考案を完成させるに至った。
【課題を解決するための手段】
【０００６】
その結果として完成させた本願考案の第１の考案は、装飾部材を取り付けて左右対称となるように組み合わせることのできる装身具用留具を備えたことを特徴とする装身具用留具構造である。
第２の考案は、一対の装身具用留具を着脱自在な連結部材で連結し、その連結部材に装飾部材を取り付けたことを特徴とする同装身具用留具構造である。
第３の考案は、一対の装身具用留具の一方に連結部材との着脱自在を可能とする着脱機構を備えたことを特徴とする同装身具用留具構造である。
第４の考案は、装身具用留具に指を掛けられる突起部を形成したことを特徴とする同装身具用留具構造である。
第５の考案は、上記第１の考案から第４の考案に係る装身具用留具構造を備えたことを特徴とする装身具である。
【考案の効果】
【０００７】
本願考案によれば、以下のような効果を有する。
（１）装飾部材を取り付けて左右対称となるように組み合わせることのできる装身具用留具を備えることで、装飾部材を備えて左右対称な留具になるので機能性だけでなく、装飾性も兼ね備えることができる。
（２）一対の装身具用留具を着脱自在な連結部材で連結し、その連結部材に装飾部材を取り付けることで、留具に装飾部材を取り付けて左右対称となるように組み合わせることができる。
（３）一対の装身具用留具の一方に連結部材との着脱自在を可能とする着脱機構を備えることで、装飾性を備えながら留具としての機能性を確実に担保できる。
（４）装身具用留具に指を掛けられる凸部を形成することで、留具の着脱操作が行い易くなる。
【図面の簡単な説明】
【０００８】
【図１】本願考案に係る装身具用留具構造を説明する説明図（１）。
【図２】本願考案に係る装身具用留具構造を説明する説明図（２）。
【図３】本願考案に係る装身具用留具構造を説明する説明図（３）。
【考案を実施するための形態】
【０００９】
本願考案の実施形態を図面に基づいて説明する。ここでは、留具を用いた装身具としてネックレスを例に挙げて説明する。
図１に図示するように、ネックレス２０は、ひも部材９と装身具用留具構造１０（以下、留具構造１０）とを備える。
【００１０】
留具構造１０は、一対の装身具用留具２（以下、留具２）の間に装飾部材１としてのパールを取り付けて左右対称になるように組み合わせてなる。
一対の留具２，２の真ん中に異素材のパール１を取り付ける構造であることで、留具としての機能性だけでなく、装飾性をも兼ね備えた留具構造となっている。
なお、装飾部材１は、図示のパールに限定されるものではなく、その他の装飾性のある部材を取り付けてもよい。
【００１１】
図２は、図１で図示した留具構造１０の内部構造を図示したものである。一対の留具２，２はそれぞれひも部材９，９と固定されており、留具２，２どうしは図３にも図示する連結部材４で連結されている。
一方の留具２（図２では右側の留具２）は、この連結部材４と固定されているが、もう一方の留具２（図２では左側の留具２）は、この連結部材４と着脱自在になるような着脱機構を備えている。
【００１２】
この着脱機構は、留具２の内部に弾性を有する略Ｃ字形の係止環８を備えて、連結部材４の端部に形成された略キノコ形の係止突起５と着脱自在に係止する構造となっている。
なお、この着脱機構は、図示のものに限定されず、公知の着脱機構を採用してもよい。
また、この着脱機構は、図２左側の留具２に設けているが、左右どちらの留具２に設けてもよい。
【００１３】
留具２には、その円周方向に凸部３を設けている。これは、留具構造１０を着脱する際に、この凸部３に指を掛ける（凸部３を指で摘まむ）ことで、その着脱操作を行いやすくするためである。装身具２０に備えられる留具構造１０は、実際には非常に小さいものであるから、この凸部３の有無で随分と着脱の操作に違いが出る。
なお、凸部３は、留具２の円周方向に連続して設ける必要は無く、指を掛けたり、指で摘まむことのできる部分ができればよい。
【産業上の利用可能性】
【００１４】
本願考案は、留具を用いた装身具の留具構造に幅広く利用できるものである。例えば、スポーツ用のネックレスや健康増進のためのネックレスなどにも利用できる。
【符号の説明】
【００１５】
１    装飾部材（パール）
２    装身具用留具（留具）
３    凸部
４    連結部材
５    係止突起
８    係止環
９    ひも部材
１０    装身具用留具構造（留具構造）
２０    ネックレス
【図１】
0003230934.tif 000003
【図２】
0003230934.tif 000004
【図３】
0003230934.tif 000005
【手続補正書】
【提出日】令和2年12月29日(2020.12.29)
【手続補正１】
【補正対象書類名】実用新案登録請求の範囲
【補正対象項目名】請求項１
【補正方法】変更
【補正の内容】
【請求項１】
装飾部材を取り付けて左右対称となるように組み合わせてなる装身具用留具を備えたことを特徴とする装身具用留具構造。
(57)【要約】      （修正有）【課題】階段等の坂道を楽に上がれる膝サポートを提供する。【解決手段】膝サポートは、脚のふくらはぎの処にくの字に曲がった板バネ１を取り外し可能な面ファスナーのバンド２を有し、足の脛部に取り付け自分の体重を利用してバネの弾力で次の階段に上がることができる。【選択図】図１
0003230931.tif 000002
【実用新案登録請求の範囲】
【請求項１】
脚のふくらはぎの処にくの字に曲がった板バネを取り外し可能なマジックテープ等のバンドで足の脛部に取り付け自分の体重を利用してバネの弾力で次の階段に上がる膝サポート。
【考案の詳細な説明】
【技術分野】
【０００１】本考案は、階段を上がる時、膝に負担を与えないよう関する物である。
【背景技術】
【０００２】現在良いものがあるが電子科関連して費用がかかり過ぎである。
【考案の概要】
【課題を解決しようとする課題】
【０００３】この考案は階段又は坂道や山登り等で長く歩いているとふくらはぎと太ももが悲鳴をあげて膝が痛くなるのを緩和して安価な事である。
【課題を解決するための手段】
【０００４】この考案は階段等に上がる時に簡単に取り外し可能な物である。
【考案の効果】
【０００５】５建てビルにはエレベーターがほとんど付いて無いのでこの［図１］（Ｄ）の１．板バネを付けて上がると大げさに言うと半分か悪くとも２〜３割位楽に上がれる。
【図面の簡単な説明】
【０００６】
【図１】（Ａ）は人が階段を一段左足を上げた処で横から見たものある。（Ｂ）は人が階段で腰を下ろしてバネを利用して弾みで右足を二段目にもっていく。（Ｃ）は本考案である板バネだけを横から見た処で点線はバウンドしたところの予想である。（Ｄ）は透視図である。
【産業上の利用可能性】
【符号の説明】１．板バネ  ２．ベルト
【図１】
0003230931.tif 000003
【手続補正書】
【提出日】令和2年11月19日(2020.11.19)
【手続補正１】
【補正対象書類名】実用新案登録請求の範囲
【補正対象項目名】全文
【補正方法】変更
【補正の内容】
【実用新案登録請求の範囲】
【請求項１】
脚のふくらはぎの処にくの字に曲がった板バネを取り外し可能な面ファスナーのバンドで足の脛部に取り付け自分の体重を利用してバネの弾力で次の階段に上がる膝サポート。